(57)【要約】【課題】  小型で、回路基板の共用化が図れて、生産性の良好な無線ＬＡＮユニットを提供する。【解決手段】  本発明の無線ＬＡＮユニットにおいて、回路基板１の一面側１ａ、又は他面側１ｃの一方側には、第１の端子群２の外側端子部２ａと第２の端子群３の内側端子部３ａが配設され、回路基板１の一面側１ａ、又は他面側１ｃの他方側には、第１の端子群２の帯状端子部２ｂを配設することによって、第１，第２の端子群２，３は、全体数の端子部が幅方向に２分散された状態となって、幅方向に小型化できると共に、回路基板１に配設された第１の端子群２の外側端子部２ａと第２の端子群３の内側端子部３ａは、フレキシブル基板１０が接続可能、或いはマザー基板９への面実装が可能となって、高さ方向に小型の電子機器が得られる。【選択図】        図４
2005158811.tif 000002
【特許請求の範囲】
【請求項１】
電子部品が搭載されて、所望の電気回路部が形成された回路基板と、前記電気回路部に接続され、前記回路基板の一辺に沿って配設された第１，第２の端子群とを備え、前記第１の端子群は、前記回路基板の一辺に近い位置で、前記回路基板の一面側、又は他面側の一方側に並設された複数の外側端子部と、前記回路基板の一面側、又は他面側の他方側に並設され、前記外側端子部のそれぞれに接続導体を介して接続された複数の帯状端子部を有し、前記第２の端子群は、前記外側端子部よりも前記回路基板の一辺から遠い位置で、前記外側端子部が形成された前記回路基板の面側に並設された複数の内側端子部を有し、前記帯状端子部のそれぞれは、前記内側端子部の位置まで、前記接続導体から延びて形成されたことを特徴とする無線ＬＡＮユニット。
【請求項２】
前記回路基板の前記一面側には、前記電子部品が搭載されると共に、前記電子部品を覆うカバーが設けられたことを特徴とする請求項１記載の無線ＬＡＮユニット。
【請求項３】
前記第１の端子群の前記外側端子部と前記第２の端子群の前記内側端子部は、前記回路基板の前記一面側に形成され、前記第１の端子群の前記帯状端子部は、前記回路基板の前記他面側に設けられて、前記回路基板の前記他面側に設けられた第１の引出導体によって前記電気回路部に接続されると共に、前記内側端子部は、前記回路基板の前記一面側に設けられた第２の引出導体によって前記電気回路部に接続されたことを特徴とする請求項１、又は２記載の無線ＬＡＮユニット。
【請求項４】
前記第１の端子群の前記外側端子部と前記第２の端子群の前記内側端子部は、前記回路基板の前記他面側に形成され、前記第１の端子群の前記帯状端子部は、前記回路基板の前記一面側に設けられて、前記回路基板の前記一面側に設けられた第１の引出導体によって前記電気回路部に接続されると共に、前記内側端子部は、前記回路基板の前記他面側に設けられた第２の引出導体によって前記電気回路部に接続されたことを特徴とする請求項１、又は２記載の無線ＬＡＮユニット。
【請求項５】
前記第１の端子群の前記外側端子部と前記第２の端子群の前記内側端子部は、２列状態で互いに並設されると共に、前記第１の端子群の前記帯状端子部は、前記内側端子部と前記回路基板を挟んで対向して配置されたことを特徴とする請求項１から４の何れかに記載の無線ＬＡＮユニット。
【請求項６】
前記第１の端子群の前記外側端子部と前記第２の端子群の前記内側端子部は、２列状態で互い違いに配設されると共に、前記第１の端子群の前記帯状端子部は、前記内側端子部と前記回路基板を挟んで非対向状態に配置されたことを特徴とする請求項１から４の何れかに記載の無線ＬＡＮユニット。
【請求項７】
前記第１の端子群の前記外側端子部と前記第２の端子群の前記内側端子部は、互いに間隔を持って配置され、前記回路基板は、前記内側端子部と前記帯状端子部のそれぞれに接続可能なコネクタへの接続のために、前記外側端子部と前記内側端子部との間で切断可能としたことを特徴とする請求項１から６の何れかに記載の無線ＬＡＮユニット。
【発明の詳細な説明】
【技術分野】
【０００１】
本発明はパソコン等の電子機器に使用して好適な無線ＬＡＮユニットに関する。
【背景技術】
【０００２】
従来の無線ＬＡＮユニットの図面を説明すると、図１６は従来の無線ＬＡＮユニットに係り、電子機器に組み込まれた状態を示す平面図、図１７は従来の無線ＬＡＮユニットに係り、電子機器に組み込まれた状態を示す正面図、図１８は従来の無線ＬＡＮユニットに係り、電子機器に組み込まれた状態を示す要部断面図である。
【０００３】
従来の無線ＬＡＮユニットの構成を図１６，図１７に基づいて説明すると、四角形の回路基板５１の一面側（表面側）５１ａには、導電パターンからなる配線パターン（図示せず）と、一辺５１ｂに沿って並設された導電パターンからなる複数の端子部５２と、この端子部５２のそれぞれと配線パターンとを接続する導電パターンからなる引出導体５３を有する。
【０００４】
そして、回路基板５１の一面側５１ａには、所望の電気回路部を形成するための種々の電子部品５４が搭載されて、カード型をなした従来の無線ＬＡＮユニット５５が形成されている。
【０００５】
また、このような構成を有する従来の無線ＬＡＮユニット５５を組み込むための電子機器は、図１６，図１７に示すように、マザー基板５６上には、絶縁基体５７と、この絶縁基体５７に一列状態で取り付けられた複数の接触片５８とからなるコネクタ５９が取り付けられ、このコネクタ５９の接触片５８は、マザー基板５６に設けられた配線パターン（図示せず）に接続された構成となっている。
【０００６】
そして、このような構成を有する電子機器のコネクタ５９には、無線ＬＡＮユニット５５が差し込まれて、回路基板５１の一面側５１ａに設けられた端子部５２が接触片５８に接続されるようになっている。（例えば、特許文献１参照）
【０００７】
しかし、このような従来の無線ＬＡＮユニット５５は、端子部５２が回路基板５１の一面側５１ａのみに一列に配設されているため、端子部５２の数が１２８個（１２８ピン）と多いために、幅方向に大型になるものであった。
【０００８】
この問題を解決するために、従来の無線ＬＡＮユニット５５は、図１８に示すように、端子部５２が回路基板５１の一面側５１ａと他面側５１ｃとに２分散され、また、マザー基板５６に取り付けられたコネクタ５９は、上下に分けられた２つの接触片５８ａ、５８ｂ有し、その他の構成は、上記（前者）の従来と同様であるので、同一部品に同一番号を付し、ここではその説明を省略する。
【０００９】
そして、このような構成を有する電子機器のコネクタ５９には、無線ＬＡＮユニット５５が差し込まれて、回路基板５１の一面側５１ａに設けられた端子部５２が接触片５８ａに接続され、また、回路基板５１の他面側５１ｃに設けられた端子部５２が接触片５８ｂに接続されるようになっている。
【００１０】
このような構成によって、従来の無線ＬＡＮユニット５５は、幅方向に小さくできるが、前者と後者の無線ＬＡＮユニット５５は、何れもコネクタ５９に接続されるような構成となっているため、コネクタ５９の高さ分、電子機器が高さ方向に大型になるものであった。
【００１１】
【特許文献１】特開２００２−１４９２７９号公報
【発明の開示】
【発明が解決しようとする課題】
【００１２】
従来の無線ＬＡＮユニットにおいて、前者のものは、端子部５２が一面側５１ａのみに一列に配設されているため、幅方向に大型になり、また、後者のものは、端子部５２ａ、５２ｂが一面側５１ａと他面側５１ｃに２分散されているため、幅方向に小型となるが、前者と後者の何れのものも、コネクタ５９に接続されるような構成となっているため、コネクタ５９の高さ分、電子機器が高さ方向に大型になるという問題がある。
【００１３】
そこで、本発明は小型で、回路基板の共用化が図れて、生産性の良好な無線ＬＡＮユニットを提供することを目的とする。
【課題を解決するための手段】
【００１４】
上記課題を解決するための第１の解決手段として、電子部品が搭載されて、所望の電気回路部が形成された回路基板と、前記電気回路部に接続され、前記回路基板の一辺に沿って配設された第１，第２の端子群とを備え、前記第１の端子群は、前記回路基板の一辺に近い位置で、前記回路基板の一面側、又は他面側の一方側に並設された複数の外側端子部と、前記回路基板の一面側、又は他面側の他方側に並設され、前記外側端子部のそれぞれに接続導体を介して接続された複数の帯状端子部を有し、前記第２の端子群は、前記外側端子部よりも前記回路基板の一辺から遠い位置で、前記外側端子部が形成された前記回路基板の面側に並設された複数の内側端子部を有し、前記帯状端子部のそれぞれは、前記内側端子部の位置まで、前記接続導体から延びて形成された構成とした。
【００１５】
また、第２の解決手段として、前記回路基板の前記一面側には、前記電子部品が搭載されると共に、前記電子部品を覆うカバーが設けられた構成とした。
また、第３の解決手段として、前記第１の端子群の前記外側端子部と前記第２の端子群の前記内側端子部は、前記回路基板の前記一面側に形成され、前記第１の端子群の前記帯状端子部は、前記回路基板の前記他面側に設けられて、前記回路基板の前記他面側に設けられた第１の引出導体によって前記電気回路部に接続されると共に、前記内側端子部は、前記回路基板の前記一面側に設けられた第２の引出導体によって前記電気回路部に接続された構成とした。
【００１６】
また、第４の解決手段として、前記第１の端子群の前記外側端子部と前記第２の端子群の前記内側端子部は、前記回路基板の前記他面側に形成され、前記第１の端子群の前記帯状端子部は、前記回路基板の前記一面側に設けられて、前記回路基板の前記一面側に設けられた第１の引出導体によって前記電気回路部に接続されると共に、前記内側端子部は、前記回路基板の前記他面側に設けられた第２の引出導体によって前記電気回路部に接続された構成とした。
【００１７】
また、第５の解決手段として、前記第１の端子群の前記外側端子部と前記第２の端子群の前記内側端子部は、２列状態で互いに並設されると共に、前記第１の端子群の前記帯状端子部は、前記内側端子部と前記回路基板を挟んで対向して配置された構成とした。
【００１８】
また、第６の解決手段として、前記第１の端子群の前記外側端子部と前記第２の端子群の前記内側端子部は、２列状態で互い違いに配設されると共に、前記第１の端子群の前記帯状端子部は、前記内側端子部と前記回路基板を挟んで非対向状態に配置された構成とした。
【００１９】
また、第７の解決手段として、前記第１の端子群の前記外側端子部と前記第２の端子群の前記内側端子部は、互いに間隔を持って配置され、前記回路基板は、前記内側端子部と前記帯状端子部のそれぞれに接続可能なコネクタへの接続のために、前記外側端子部と前記内側端子部との間で切断可能とした構成とした。
【発明の効果】
【００２０】
本発明の無線ＬＡＮユニットは、電子部品が搭載されて、所望の電気回路部が形成された回路基板と、電気回路部に接続され、回路基板の一辺に沿って配設された第１，第２の端子群とを備え、第１の端子群は、回路基板の一辺に近い位置で、回路基板の一面側、又は他面側の一方側に並設された複数の外側端子部と、回路基板の一面側、又は他面側の他方側に並設され、外側端子部のそれぞれに接続導体を介して接続された複数の帯状端子部を有し、第２の端子群は、外側端子部よりも回路基板の一辺から遠い位置で、外側端子部が形成された回路基板の面側に並設された複数の内側端子部を有し、帯状端子部のそれぞれは、内側端子部の位置まで、接続導体から延びて形成された構成とした。
このように、回路基板の一面側、又は他面側の一方側には、第１の端子群の外側端子部と第２の端子群の内側端子部が配設され、回路基板の一面側、又は他面側の他方側には、第１の端子群の帯状端子部を配設することによって、第１，第２の端子群は、全体数の端子部が幅方向に２分散された状態となって、幅方向に小型化できると共に、回路基板に配設された第１の端子群の外側端子部と第２の端子群の内側端子部は、フレキシブル基板が接続可能、或いはマザー基板への面実装が可能となって、高さ方向に小型の電子機器が得られる。
また、第２の端子群の内側端子部と第１の端子群の帯状端子部のそれぞれには、コネクタの第１，第２の接触片を接続することができ、従って、コネクタによる接続が可能であると共に、回路基板は、フレキシブル基板とコネクタによる接続或いは、マザー基板への面実装とコネクタによる接続が可能となって、回路基板の共通化、及び共用化が図れ、生産性の良好なものが得られる。
【００２１】
また、回路基板の一面側には、電子部品が搭載されると共に、電子部品を覆うカバーが設けられたため、電子部品に対する電気的なシールドの確実なものが得られる。
【００２２】
また、第１の端子群の外側端子部と第２の端子群の内側端子部は、回路基板の一面側に形成され、第１の端子群の帯状端子部は、回路基板の他面側に設けられて、回路基板の他面側に設けられた第１の引出導体によって電気回路部に接続されると共に、内側端子部は、回路基板の一面側に設けられた第２の引出導体によって電気回路部に接続されたため、回路基板上での配線パターンの配置が容易となり、設計、及び生産性が良く、且つ、フレキシブル基板による配線の可能なものが得られる。
【００２３】
また、第１の端子群の外側端子部と第２の端子群の内側端子部は、回路基板の他面側に形成され、第１の端子群の帯状端子部は、回路基板の一面側に設けられて、回路基板の一面側に設けられた第１の引出導体によって電気回路部に接続されると共に、内側端子部は、回路基板の他面側に設けられた第２の引出導体によって電気回路部に接続されたため、回路基板上での配線パターンの配置が容易となり、設計、及び生産性が良く、且つ、マザー基板への面実装の可能なものが得られる。
【００２４】
また、第１の端子群の外側端子部と第２の端子群の内側端子部は、２列状態で互いに並設されると共に、第１の端子群の帯状端子部は、内側端子部と回路基板を挟んで対向して配置されたため、回路基板の幅方向が小型になると共に、コネクタを使用した時、コネクタの第１，第２の接触片が上下に対向した状態で配置できるため、コネクタの製造の容易なものが得られる。
【００２５】
また、第１の端子群の外側端子部と第２の端子群の内側端子部は、２列状態で互い違いに配設されると共に、第１の端子群の帯状端子部は、内側端子部と回路基板を挟んで非対向状態に配置されたため、フレキシブル基板を用いた場合、内側端子部からのフレキシブル基板の引出線は、ストレートな状態で外側端子部間から引き出すことができて、引出が確実で、且つ、容易なものが得られ、また、コネクタを用いる場合、コネクタの第１，第２の接触片は、互い違いに配置された状態となって、第１，第２の接触片に対するマザー基板の配線パターンが容易にできて、生産性の良好なものが得られる。
【００２６】
また、第１の端子群の外側端子部と第２の端子群の内側端子部は、互いに間隔を持って配置され、回路基板は、内側端子部と帯状端子部のそれぞれに接続可能なコネクタへの接続のために、外側端子部と内側端子部との間で切断可能としたため、第２の端子群の内側端子部と第１の端子群の帯状端子部のそれぞれには、コネクタの第１，第２の接触片を接続することができ、従って、コネクタによる接続が可能であると共に、回路基板は、フレキシブル基板とコネクタによる接続、或いは、マザー基板への面実装とコネクタによる接続において、共用化が図れ、生産性の良好なものが得られる。
【発明を実施するための最良の形態】
【００２７】
本発明の無線ＬＡＮユニットの図面を説明すると、図１は本発明の無線ＬＡＮユニットの第１実施例を示す平面図、図２は本発明の無線ＬＡＮユニットの第１実施例を示す正面図、図３は本発明の無線ＬＡＮユニットの第１実施例を示す下面図、図４は本発明の無線ＬＡＮユニットの第１実施例に係り、電子機器にフレキシブル基板によって組み込まれた状態を示す要部断面図である。
【００２８】
また、図５は本発明の無線ＬＡＮユニットの第２実施例を示す平面図、図６は本発明の無線ＬＡＮユニットの第２実施例を示す下面図、図７は本発明の無線ＬＡＮユニットに係り、電子機器にコネクタによって組み込まれた状態を示す要部断面図である。
【００２９】
また、図８は本発明の無線ＬＡＮユニットの第３実施例を示す平面図、図９は本発明の無線ＬＡＮユニットの第３実施例を示す正面図、図１０は本発明の無線ＬＡＮユニットの第３実施例を示す下面図、図１１は本発明の無線ＬＡＮユニットの第３実施例に係り、電子機器のマザー基板に面実装によって組み込まれた状態を示す要部断面図である。
【００３０】
また、図１２は本発明の無線ＬＡＮユニットの第４実施例を示す平面図、図１３は本発明の無線ＬＡＮユニットの第４実施例を示す正面図、図１４は本発明の無線ＬＡＮユニットの第４実施例を示す下面図、図１５は本発明の無線ＬＡＮユニットの第４実施例に係り、電子機器にコネクタによって組み込まれた状態を示す要部断面図である。
【００３１】
次に、本発明の無線ＬＡＮユニットの第１実施例の構成を図１〜図４に基づいて説明すると、四角形の回路基板１の一面側（表面側）１ａには、導電パターンからなる配線パターン（図示せず）と、一辺１ｂに沿って配設された導電パターンからなる第１，第２の端子群２，３とを有する。
【００３２】
また、第１の端子群２は、回路基板１の一辺１ｂに近い位置で、回路基板１の一面側１ａに並設された複数の外側端子部２ａと、回路基板１の他面側（裏面側）１ｃに配設され、外側端子部２ａのそれぞれに接続導体（スルーホール）４を介して接続された複数の帯状端子部２ｂを有する。
【００３３】
更に、第２の端子群３は、外側端子部２ａよりも回路基板１の一辺１ｂから遠い位置で、回路基板１の一面側１ａに並設された複数の内側端子部３ａを有し、この内側端子部３ａは、外側端子部２ａとの間に所定の間隔を持って配置されると共に、内側端子部３ａと外側端子部２ａは、２列状態で互いに並設された状態となっている。
【００３４】
そして、第１の端子群２の帯状端子部２ｂのそれぞれは、他面側１ｃにおいて、接続導体４から内側端子部３ａの位置（対向する位置）まで延びて形成されるとと共に、この帯状端子部２ｂのそれぞれは、他面側１ｃに設けられた導電パターンからなる第１の引出導体５によって配線パターンに接続され、また、内側端子部３ａのそれぞれは、一面側１ａに設けられた導電パターンからなる第２の引出導体６によって配線パターンに接続されている。
【００３５】
即ち、第１の端子群２の外側端子部２ａと帯状端子部２ｂは、回路基板１を挟んで互いに対向した状態で配置されると共に、第１の端子群２の帯状端子部２ｂと第２の端子群３の内側端子部３ａは、回路基板１を挟んで互いに対向した状態で配置されている。
【００３６】
そして、回路基板１の一面側１ａには、所望の電気回路部を形成するための種々の電子部品７が搭載されると共に、電子部品７を覆った状態で、箱形のシールド用のカバー８が取り付けられて、カード型をなした本発明の無線ＬＡＮユニットが形成されている。
【００３７】
また、端子部の全体数は、１２８個（１２８ピン）と多く、第１の端子群２の外側端子部２ａと，第２の端子群３の内側端子部３ａは、幅方向に２分散された状態となっているため、幅方向に小型化できる。
【００３８】
また、このような構成を有する本発明の無線ＬＡＮユニットを組み込むための電子機器は、図４に示すように、配線パターン（図示せず）を設けたマザー基板９と、導電パターンからなる引出線（図示せず）を設けたフレキシブル基板１０を有する。
【００３９】
本発明の無線ＬＡＮユニットの組み込みは、先ず、回路基板１の他面側１ｃをマザー基板９上に載置し、マザー基板９に回路基板１を適宜手段によって保持した後、フレキシブル基板１０が第１の端子群２の外側端子部２ａと第２の端子群３の内側端子部３ａ、及びマザー基板９の上部に載置され、フレキシブル基板１０の引出線そそれぞれが外側端子部２ａと内側端子部３ａ、及びマザー基板９の配線パターンに半田付や熱圧着等によって接続されて、その組み込みが完了する。
【００４０】
この時、外側端子部２ａと内側端子部３ａのそれぞれに接続されたフレキシブル基板１０の引出線は、マザー基板９の配線パターンのそれぞれに接続されると共に、内側端子部３ａから引き出されたフレキシブル基板１０の引出線は、外側端子部２ａ間を通って延びるようになっている。
【００４１】
このように、本発明の無線ＬＡＮユニットがフレキシブル基板１０を用いて組み込まれると、高さ方向が小さくできて、電子機器を高さ方向に小型化できる。
【００４２】
また、図５，図６は本発明の無線ＬＡＮユニットの第２実施例を示し、この第２実施例を説明すると、第１の端子群２の外側端子部２ａと第２の端子群３の内側端子部３ａは、２列状態で互い違いに配設されると共に、第１の端子群２の帯状端子部２ｂは、内側端子部３ａと回路基板１を挟んで非対向状態に配置された構成となっている。
【００４３】
その他の構成は、上記第１実施例と同様であるので、同一部品に同一番号付し、ここではその説明を省略する。
そして、この第２実施例においても、上記第１実施例と同様にフレキシブル基板１０によって、マザー基板９への接続が可能であり、フレキシブル基板１０を用いた場合、内側端子部３ａからのフレキシブル基板１０の引出線は、ストレートな状態で外側端子部２ａ間から引き出すことができて、引出が確実で、且つ、容易なものが得られる。
【００４４】
また、図７は本発明の無線ＬＡＮユニットが電子機器にコネクタによって組み込まれた状態を示し、本発明の無線ＬＡＮユニットを組み込みするための電子機器は、図７に示すように、マザー基板９上には、絶縁基体１１と、この絶縁基体１１に上下に分かれた状態で、２列状態で取り付けられた複数の第１，第２の接触片１２ａ、１２ｂとからなるコネクタ１３が取り付けられ、このコネクタ１３の第１，第２の接触片１２ａ、１２ｂのそれぞれは、マザー基板９に設けられた配線パターン（図示せず）に接続された構成となっている。
【００４５】
そして、このような構成を有する電子機器のコネクタ１３には、本発明の無線ＬＡＮユニットが差し込まれて、図７に示すように、回路基板１の他面側１ｃに設けられた第１の端子群２の帯状端子部２ｂには、第１の接触片１２ａが接続され、また、回路基板１の一面側１ａに設けられた第２の端子群３の内側端子部３ａには、第２の接触片１２ｂが接続されるようになっている。
【００４６】
即ち、本発明の無線ＬＡＮユニットの回路基板１は、そのままの状態で、フレキシブル基板１０による接続とコネクタ１３による接続が可能となり、従って、回路基板１の共通化、及び共用化が図れ、生産性の良好なものが得られる。
【００４７】
また、図１〜図３に示す第１実施例の本発明の無線ＬＡＮユニットをコネクタ１３による組み込みを行う場合、コネクタ１３の第１，第２の接触片１２ａ、１２ｂは、コネクタ１３の第１，第２の接触片１２ａ、１２ｂが上下に対向した状態で配置できるため、コネクタの製造の容易なものが得られる。
【００４８】
更に、図５，図６に示す第２実施例の本発明の無線ＬＡＮユニットをコネクタ１３による組み込みを行う場合、コネクタ１３の第１，第２の接触片１２ａ、１２ｂは、互い違いに配置された状態となって、第１，第２の接触片１２ａ、１２ｂに対するマザー基板９の配線パターンが容易にできて、生産性の良好なものが得られる。
【００４９】
また、図８〜図１１は本発明の無線ＬＡＮユニットの第３実施例を示し、この第３実施例を説明すると、第１の端子群２の外側端子部２ａと第２の端子群３の内側端子部３ａは、回路基板１の他面１ｃ側に配設されると共に、第１の端子群２の帯状端子部２ｂは、回路基板１の一面１ａ側に配設され、また、この帯状端子部２ｂは、回路基板１の一面１ａ側に設けられた第１の引出導体５によって電気回路部に接続されると共に、内側端子部３ａは、回路基板１の他面１ｃ側に設けられた第２の引出導体６によって電気回路部に接続された構成となっている。
【００５０】
その他の構成は、上記第１実施例と同様であるので、同一部品に同一番号付し、ここではその説明を省略する。
【００５１】
そして、このような第３実施例による無線ＬＡＮユニットの組み込みは、図１１に示すように、回路基板１の他面１ｃ側をマザー基板９上に載置すると共に、回路基板１の他面１ｃ側に設けられた外側端子部２ａと内側端子部３ａがマザー基板９の配線パターンに接続され、回路基板１がマザー基板９に面実装されることによって、組み込まれるようになっている。
【００５２】
このような構成によって、フレキシブル基板１０が不要となって、一層、高さ方向に小型化できると共に、安価なものが得られる。
また、この第３実施例においても、図７に示すようなコネクタ１３による組み込みも可能である。
【００５３】
なお、上記第１，第２、第３実施例の接続導体４は、回路基板１に設けられた貫通孔内に形成されたもので説明したが、この接続導体４は、回路基板１の一辺１ｂ側の端面に設けられたサイド電極で構成しても良い。
【００５４】
また、図１２〜図１５は本発明の無線ＬＡＮユニットの第４実施例を示し、この第４実施例を説明すると、回路基板１は、図１〜図４に示す第１実施例において、第１の端子群２の外側端子部２ａと第２の端子群３の内側端子部３ａとの間で切断されたものである。
【００５５】
その結果、第１実施例における第１の端子群２の外側端子部２ａの全体と、帯状端子部２ｂの一部と、接続導体４が削除された状態となり、その他の構成は、上記第１実施例と同様であるので、同一部品に同一番号付し、ここではその説明を省略する。
【００５６】
そして、図１５は本発明の無線ＬＡＮユニットの第４実施例が電子機器にコネクタによって組み込まれた状態を示し、本発明の無線ＬＡＮユニットの第４実施例を組み込みするための電子機器は、図１５に示すように、マザー基板９上には、絶縁基体１１と、この絶縁基体１１に上下に分かれた状態で、２列状態で取り付けられた複数の第１，第２の接触片１２ａ、１２ｂとからなるコネクタ１３が取り付けられ、このコネクタ１３の第１，第２の接触片１２ａ、１２ｂのそれぞれは、マザー基板９に設けられた配線パターン（図示せず）に接続された構成となっている。
【００５７】
そして、このような構成を有する電子機器のコネクタ１３には、本発明の無線ＬＡＮユニットが差し込まれて、図１５に示すように、回路基板１の他面側１ｃに設けられた第１の端子群２の帯状端子部２ｂには、第１の接触片１２ａが接続され、また、回路基板１の一面側１ａに設けられた第２の端子群３の内側端子部３ａには、第２の接触片１２ｂが接続されるようになっている。
【００５８】
即ち、本発明の無線ＬＡＮユニットの第４実施例の回路基板１は、回路基板１を切断すると、コネクタ１３による接続が可能となり、従って、回路基板１の共用化が図れ、生産性の良好なものが得られる。
【００５９】
また、この第４実施例は、図５，図６に示す第２実施例において、回路基板１が第１の端子群２の外側端子部２ａと第２の端子群３の内側端子部３ａとの間で切断されても良く、この場合、コネクタ１３の第１，第２の接触片１２ａ、１２ｂは、互い違いに配置された状態となって、第１，第２の接触片１２ａ、１２ｂに対するマザー基板９の配線パターンが容易にできて、生産性の良好なものが得られる。
【００６０】
更に、この第４実施例は、図８〜図１０に示す第３実施例において、回路基板１が第１の端子群２の外側端子部２ａと第２の端子群３の内側端子部３ａとの間で切断されても良いこと勿論である。
【図面の簡単な説明】
【００６１】
【図１】本発明の無線ＬＡＮユニットの第１実施例を示す平面図。
【図２】本発明の無線ＬＡＮユニットの第１実施例を示す正面図。
【図３】本発明の無線ＬＡＮユニットの第１実施例を示す下面図。
【図４】本発明の無線ＬＡＮユニットの第１実施例に係り、電子機器にフレキシブル基板によって組み込まれた状態を示す要部断面図。
【図５】本発明の無線ＬＡＮユニットの第２実施例を示す平面図。
【図６】本発明の無線ＬＡＮユニットの第２実施例を示す下面図。
【図７】本発明の無線ＬＡＮユニットに係り、電子機器にコネクタによって組み込まれた状態を示す要部断面図。
【図８】本発明の無線ＬＡＮユニットの第３実施例を示す平面図。
【図９】本発明の無線ＬＡＮユニットの第３実施例を示す正面図。
【図１０】本発明の無線ＬＡＮユニットの第３実施例を示す下面図。
【図１１】本発明の無線ＬＡＮユニットの第３実施例に係り、電子機器のマザー基板に面実装によって組み込まれた状態を示す要部断面図。
【図１２】本発明の無線ＬＡＮユニットの第４実施例を示す平面図。
【図１３】本発明の無線ＬＡＮユニットの第４実施例を示す正面図。
【図１４】本発明の無線ＬＡＮユニットの第４実施例を示す下面図。
【図１５】本発明の無線ＬＡＮユニットの第４実施例に係り、電子機器にコネクタによって組み込まれた状態を示す要部断面図。
【図１６】従来の無線ＬＡＮユニットに係り、電子機器に組み込まれた状態を示す平面図。
【図１７】従来の無線ＬＡＮユニットに係り、電子機器に組み込まれた状態を示す正面図。
【図１８】従来の無線ＬＡＮユニットに係り、電子機器に組み込まれた状態を示す要部断面図。
【符号の説明】
【００６２】
１：回路基板
１ａ：一面側
１ｂ：一辺
１ｃ：他面側
２：第１の端子群
２ａ：外側端子部
２ｂ：帯状端子部
３：第２の端子群
３ａ：内側端子部
４：接続導体
５：第１の引出導体
６：第２の引出導体
７：電子部品
８：カバー
９：マザー基板
１０：フレキシブル基板
１１：絶縁基体
１２ａ：第１の接触片
１２ｂ：第２の接触片
１３：コネクタ
【図１】
2005158811.tif 000003
【図２】
2005158811.tif 000004
【図３】
2005158811.tif 000005
【図４】
2005158811.tif 000006
【図５】
2005158811.tif 000007
【図６】
2005158811.tif 000008
【図７】
2005158811.tif 000009
【図８】
2005158811.tif 000010
【図９】
2005158811.tif 000011
【図１０】
2005158811.tif 000012
【図１１】
2005158811.tif 000013
【図１２】
2005158811.tif 000014
【図１３】
2005158811.tif 000015
【図１４】
2005158811.tif 000016
【図１５】
2005158811.tif 000017
【図１６】
2005158811.tif 000018
【図１７】
2005158811.tif 000019
【図１８】
2005158811.tif 000020